(57)【要約】【課題】移動時間を考えずに会議時間を設定する事があっても、この時のデータを問題なく保存する。その結果、その後にデータを読みだしてスケジュールを実行しようとした時に、不都合が生じ、顧客等に迷惑をかけてしまう問題がある。【解決手段】前のスケジュール場所と該スケジュールの前後に既入力されているスケジュールの場所間の移動時間が、あらかじめデータベースに登録された移動時間の計算に必要なデータを用いて計算され、この計算に必要なデータを用いて計算され、この計算された移動時間に基づいて入力スケジュールの日時指定の妥当性が判断できるようにする。また、端末のＧＰＳ機能を用いる事により、現在場所を検索し、次の目的地までの最寄駅、最寄駅までの時間、最短ルートを表示させる。【選択図】図４
2012048544.tif 000002
【特許請求の範囲】
【請求項１】
場所と日時と時間帯とからなるスケジュールを受け付ける受付手段と、受け付けた第１のスケジュールと同一日で前の時間帯または後の時間帯の第２のスケジュールを検出するスケジュール監視部と、前記第１のスケジュールの第１の場所と前記第２のスケジュールの第２の場所との間の移動時間を計算する移動時間計算部と、からなり
前記移動時間計算部が計算した移動時間に基づいて、前記第１のスケジュールの妥当性を判断することを特徴とするスケジュール管理装置。
【請求項２】
請求項１に記載のスケジュール管理装置であって、
さらにスケジュールデータベースを備え、
前記第１のスケジュールが妥当と判断したとき、前記スケジュールデータベースに登録することを特徴とするスケジュール管理装置。
【請求項３】
場所と日時と時間帯とからなるスケジュールを受け付ける受付手段と、受け付けた第１のスケジュールと同一日で前の時間帯または後の時間帯の第２のスケジュールを検出するスケジュール監視部と、前記第１のスケジュールの第１の場所と前記第２のスケジュールの第２の場所との間の移動時間を計算する移動時間計算部と、からなり、前記移動時間計算部が計算した移動時間に基づいて、前記第１のスケジュールの妥当性を判断するケジュール管理装置と、
前記場所から住所を検索する住所検索サーバと、
前記日時と前記時間帯と前記住所検索サーバが検索した前記住所を元に、移動元最寄り駅と移動先最寄り駅と移動時の最速移動手段とを判断する駅間検索サーバと、からなるスケジュール管理システム。
【発明の詳細な説明】
【技術分野】
【０００１】
本発明は、スケジュール管理装置およびスケジュール管理システムに係り、特に移動時間を考慮してスケジュールを管理するスケジュール管理装置およびスケジュール管理システムに関する。
【背景技術】
【０００２】
スケジューラに代表されるように、ここ最近、利用者が入力した個人に関する各種の情報を電子的に保存し、これを必要に応じて読み出し、再生表示、閲覧できるようなものが、実用化されている。しかし、従来のスケジューラは、各個人のスケジュールを電子的に管理する機能について、会議の日付、曜日、時間、場所などのデータを保存し、これらのデータを必要に応じて読みだして表示する程度のものである。
【先行技術文献】
【特許文献】
【０００３】
【特許文献１】特開平６−０９６０８５公報
【発明の概要】
【発明が解決しようとする課題】
【０００４】
従来のスケジューラ等の各個人のスケジュールを電子的に管理する機能は、会議の日付、曜日、時間、場所などのデータを保存し、これらのデータを必要に応じて読み出し、表示するものである。しかし、このようなスケジュール管理では、会議の開催場所間の移動手段、移動時間等を管理していないため、誤って、移動時間を考えずに会議時間を設定する事があっても、この時のデータを問題なく保存することになる。その結果、その後にデータを読みだしてスケジュールを実行しようとしたとき、不都合が生じ、実行不能に陥り、顧客等に迷惑をかけてしまう問題がある。
【０００５】
特許文献１は、ビル情報等による位置情報を監視し、移動時間、移動手段等を算出する手段を開示する。しかし、ビル情報のみでは、正確な位置情報はつかめず、当日のスケジュール情報変更等に対応できない。
【課題を解決するための手段】
【０００６】
上述した課題は、場所と日時と時間帯とからなるスケジュールを受け付ける受付手段と、受け付けた第１のスケジュールと同一日で前の時間帯または後の時間帯の第２のスケジュールを検出するスケジュール監視部と、第１のスケジュールの第１の場所と第２のスケジュールの第２の場所との間の移動時間を計算する移動時間計算部と、からなり、移動時間計算部が計算した移動時間に基づいて、第１のスケジュールの妥当性を判断するスケジュール管理装置により、達成できる。
【０００７】
また、場所と日時と時間帯とからなるスケジュールを受け付ける受付手段と、受け付けた第１のスケジュールと同一日で前の時間帯または後の時間帯の第２のスケジュールを検出するスケジュール監視部と、第１のスケジュールの第１の場所と第２のスケジュールの第２の場所との間の移動時間を計算する移動時間計算部と、からなり、移動時間計算部が計算した移動時間に基づいて、第１のスケジュールの妥当性を判断するケジュール管理装置と、場所から住所を検索する住所検索サーバと、日時と時間帯と住所検索サーバが検索した住所を元に、移動元最寄り駅と移動先最寄り駅と移動時の最速移動手段とを判断する駅間検索サーバと、からなるスケジュール管理システムにより、達成できる。
【発明の効果】
【０００８】
利用者は、新たなスケジュール登録の際に、実行不可能なスケジュールを事前に発見でき、実行不可能なスケジュール登録を未然に防止する事ができる。
【図面の簡単な説明】
【０００９】
【図１】スケジュール管理システムのブロック図である。
【図２】スケジュール管理サーバのブロック図である。
【図３】予約入力のＧＵＩ画面である。
【図４】予約時のスケジュール管理サーバのフローチャートである。
【図５】重要な会議がない場合のスケジュール当日の処理を説明する図である。
【図６】スケジュール管理サーバのスケジュール情報送信処理のフローチャートである。
【図７】重要会議がある場合のスケジュール当日の処理を説明する図である。
【図８】重要会議がある場合のスケジュール管理サーバのスケジュール情報送信処理のフローチャートである。
【図９】重要な会議がなく遅延が発生した場合について説明する図である。
【図１０】交通機関の遅延による重要欄チェックありのスケジュールに間に合わない場合について説明する図である。
【図１１】スケジュール管理サーバの遅延情報送信処理のフローチャートである。
【図１２】会議の延長のよる重要欄チェックありのスケジュールに間に合わない場合について説明する図である。
【図１３】スケジュール管理サーバの遅延情報代理送信処理のフローチャートである。
【発明を実施するための形態】
【００１０】
以下、本発明の実施の形態について、実施例を用い図面を参照しながら詳細に説明する。なお、実質同一部位には同じ参照番号を振り、説明は繰り返さない。
【００１１】
まず、図１を参照して、スケジュール管理システムの構成を説明する。図１において、スケジュール管理システム１０００は、スケジュール管理サーバ１００と、ＰＤＡ端末２００と、住所検索サーバ３００と、ＧＰＳサーバ４００と、駅間検索サーバ５００とから構成されている。スケジュール管理サーバ１００とＰＤＡ端末２００とは、ＬＡＮ７００−１で接続されている。また、住所検索サーバ３００とＧＰＳサーバ４００と駅間検索サーバ５００とは、ＬＡＮ７００−２で接続されている。ＬＡＮ７００−１とＬＡＮ７００−２とは、ＷＡＮ６００で接続されている。
【００１２】
図２を参照して、スケジュール管理サーバ１００の構成を説明する。図２において、スケジュール管理サーバ１００は、制御部１１０と、スケジュール監視部１２０と、スケジュールデータベース１４０と、移動時間計算部１３０とによって構成されている。制御部１１０は、スケジュール管理サーバ１００の全体を制御する。スケジュール監視部１２０は、スケジュールデータベース１４０を監視し、事前通知時刻にスケジュール情報を制御部に送信する。スケジュールデータベース１４０は、複数のユーザのスケジュールデータを保存する。移動時間計算部１３０は、駅間情報から移動時間を計算する。このスケジュール管理サーバ１００と、各サーバ３００、４００、５００が連動する事により、スケジュール管理システム１０００は、稼働する。
【００１３】
図１に戻って、ＰＤＡ端末２００は、スケジュール管理サーバ１００から送られてくる情報を受信する。ＰＤＡ端末２００は、またスケジュール管理サーバ１００に情報を送信する。ＰＤＡ端末２００は、スケジュール予約等を行なう。ＰＤＡ端末２００は、ＧＰＳ衛星の電波を受信して、自身の位置を取得する。なお、スケジュール予約は、図示しない携帯端末からも行なう事ができる。
【００１４】
スケジュール管理サーバ１００は、ユーザのスケジュール予約を管理する。スケジュール管理サーバ１００は、住所検索サーバ３００、ＧＰＳサーバ４００、駅間検索サーバ５００からのデータを整理し、ＰＤＡ端末２００に情報を送信する。スケジュール管理サーバ１００は、また、携帯端末から送信されてくるスケジュール変更依頼にも対応する。
【００１５】
住所検索サーバ３００は、スケジュール予約時に入力されている住所情報から住所を検索する。住所検索サーバ３００は、また住所情報が未記入の場合にも、行先欄の名称から場所を特定する。
【００１６】
ＧＰＳサーバ４００は、ＧＰＳによって特定されたＰＤＡ端末２００の位置情報を管理する。なお、スケジュール管理システム１０００において、ＧＰＳ機能は、予約時に重要度欄にチェックが入っているスケジュールのみ起動する。
駅間検索サーバ５００は、予約されたスケジュール情報および住所検索サーバ３００の情報を元に、移動元最寄り駅と移動先最寄り駅と移動時の最速移動手段とを判断する。
なお、入出力端末は、ＰＤＡ端末に限らず携帯電話、ＰＣ等であってもよい。
【００１７】
図３を参照して、スケジュール予約を説明する。ユーザによる予約日時の入力により、ＰＤＡ端末２００は、図３（ａ）の時間帯指定画面を表示する。図３（ａ）において、予約対象日は、ＸＸＸＸ年ＸＸ月ＸＸ日である。既に、１１：００〜１２：３０に予定があり、新たに１３：３０〜１５：００に予定を受け付けている。ＰＤＡ端末２００は、時間帯の確定操作を受け付けると、図３（ｂ）の予定詳細画面を表示する。
【００１８】
図３（ｂ）において、ユーザは、内容、訪問先、担当、同伴者、住所を入力する。また、予約内容が重要な場合は重要入力欄にチェックを入れる。この重要入力欄にチェックを入れた場合のみ、スケジュール管理サーバ１００は、この予約内容に関してＰＤＡ端末２００のＧＰＳを起動させ、より詳細な内容を表示する。また、ユーザは、スケジュール当日の事前通知時間を入力する。入力しない場合、初期設定である１時間前に送信する。
【００１９】
以上の情報を受け付け後、ＰＤＡ端末２００は、スケジュール管理サーバ１００に登録を行なう。この後、スケジュール管理サーバ１００は、住所検索サーバ３００、駅間検索サーバ５００とともに処理を行ない、スケジュールを設定可能かどうかを判断する。この処理を図４を参照して、説明する。
【００２０】
図４において、スケジュール管理サーバ１００は、ＰＤＡ端末２００から新しいスケジュール情報を受信する（Ｓ５１）。スケジュール管理サーバ１００は、受信したスケジュール情報よりも前にスケジュールがあるかの確認を行なう（Ｓ５２）。スケジュール情報がある場合（ＹＥＳ）、スケジュール管理サーバ１００は、新しいスケジュール情報の住所内容を住所検索サーバ３００へ送信する。スケジュール管理サーバ１００は、住所検索サーバ３００から住所情報を取得する（Ｓ５３）。
【００２１】
スケジュール管理サーバ１００は、直前のスケジュールの住所情報と新しいスケジュール情報を駅間検索サーバ５００に送信する。スケジュール管理サーバ１００は、駅間検索サーバ５００から駅間情報を取得する（Ｓ５４）。スケジュール管理サーバ１００は、取得した情報を移動時間計算部１３０へ送信する。移動時間計算部１３０は、移動時間の計算を行なう。移動時間計算部１３０は、算出した結果を制御部１１０へ送信する（Ｓ５６）。制御部１１０は、新しいスケジュール情報の開始時刻と直前のスケジュール情報終了時刻との間の時間について、移動時間必要時間以上か判断を行なう（Ｓ５７）。
【００２２】
移動時間に問題がない場合（ＹＥＳ）、制御部１１０は、新しいスケジュール情報より後にスケジュール情報がないかの確認を行なう（Ｓ５８）。スケジュール情報がある場合（ＹＥＳ）、スケジュール管理サーバ１００は、新しいスケジュール情報の住所内容を住所検索サーバ３００へ送信する。スケジュール管理サーバ１００は、住所検索サーバ３００かあら住所情報を取得する（Ｓ５９）。
【００２３】
スケジュール管理サーバ１００は、直前のスケジュールの住所情報と新しいスケジュール情報を駅間検索サーバ５００に送信する。スケジュール管理サーバ１００は、駅間検索サーバ５００から駅間情報を取得する（Ｓ６１）。スケジュール管理サーバ１００は、取得した情報を移動時間計算部１３０へ送信する。移動時間計算部１３０は、移動時間の計算を行なう。移動時間計算部１３０は、算出した結果を制御部１１０へ送信する（Ｓ６２）。制御部１１０は、新しいスケジュール情報の開始時刻と直前のスケジュール情報終了時刻との間の時間について、移動時間必要時間以上か判断を行なう（Ｓ６３）。移動時間に問題が無い場合（ＹＥＳ）、制御部１１０は、新しいスケジュール情報をスケジュールデータベースへ保存し、ＰＤＡ端末２００に登録完了の連絡を行なって（Ｓ６４）、終了する。
【００２４】
ステップ６３で移動時間が足りない場合（ＮＯ）、制御部１１０は、ＰＤＡ端末２００へ再調整の必要ありと送信して（Ｓ６６）、終了する。ステップ５８でＮＯのとき、制御部１１０は、ステップ６４に遷移する。ステップ５７でＮＯのとき、制御部１１０は、ＰＤＡ端末２００へ再調整の必要ありと送信して（Ｓ６７）、終了する。ステップ５２でＮＯのとき、スケジュール管理サーバ１００は、ステップ５８に遷移する。
【００２５】
図５を参照して、重要な会議がない場合のスケジュール当日の処理を説明する。図５において、現在地は戸塚とし、１１：００〜１２：００に川崎にて会議、１４：００〜１５：００に横浜にて会議があった場合としている。
【００２６】
予約時に重要欄にチェックが入っていないスケジュール内容について、スケジュール管理サーバ１００は、ＧＰＳを起動しない。予約時に入力してある事前通知時間に、スケジュール管理サーバ１００は、経路情報をＰＤＡ端末２００に送信する。以後、順次、１時間前、４５分前、３０分前、１５分前、５分前、１分前といった時刻に情報を送信する。
【００２７】
図６を参照して、スケジュール管理サーバのスケジュール情報送信処理を説明する。図６において、スケジュール監視部１２０は、スケジュールデータベースを監視する（Ｓ７１）。スケジュール監視部１２０は、次スケジュール情報をスケジュールデータベース１４０より取得する（Ｓ７２）。スケジュール監視部１２０は、取得したスケジュール情報は重要かそうではないかの確認をスケジュール情報の重要欄にチェックが入っているかいないかによって判定する（Ｓ７３）。ここでは、重要な会議が無い場合なので（ＮＯ）、取得したスケジュール情報の事前通知時間は現在かの判断を行なう（Ｓ７４）。現在時刻と事前通知時刻が合致した場合（ＹＥＳ）、スケジュール監視部１２０は、制御部１１０に次スケジュール情報を送信する（Ｓ７６）。制御部１１０は、次スケジュール情報をＰＤＡ端末２００へ送信して（Ｓ７７）、終了する。
【００２８】
現在時刻と事前通知時刻が合致しない場合（Ｓ７４：ＮＯ）、スケジュール監視部１２０は、次スケジュール情報の事前通知時刻を把握する（Ｓ７８）。スケジュール監視部１２０は、事前通知時刻直前にスケジュールデータベースより情報取得する（Ｓ７９）。その後、スケジュール監視部１２０は、制御部１１０に次スケジュール情報を送信する（Ｓ８１）。制御部１１０は、ＰＤＡ端末２００へ次スケジュール情報を送信する（Ｓ８２）。
【００２９】
図７を参照して、当日重要会議がある場合のスケジュール当日の処理を説明する。図７において、現在地は戸塚とし、１１：００〜１２：００に川崎にて会議、１４：００〜１５：００に横浜にて会議があった場合である。また、１４：００〜１５：００の横浜での会議は重要欄チェックがある会議である。
【００３０】
まず、１１：００〜１２：００の川崎での会議は、重要欄チェック無の会議のため、事前通知時間から経路情報が送信され、以後順次送信されていく。
次に横浜での会議だが、事前通知時間の前に、ＰＤＡ端末２００のＧＰＳを起動する。重要欄チェックスケジュールがある場合のスケジュール管理システム１０００の処理を図８を参照して説明する。
【００３１】
図８において、図６のステップ７３で重要欄にチェックがある場合、制御部１１０は、ＰＤＡ端末２００にＧＰＳの起動を送信する（Ｓ９１）。スケジュール管理サーバ２００は、ＰＤＡ端末２００からＧＰＳによる現在位置情報を取得し、ＧＰＳサーバ４００へ送信する（Ｓ９２）。ＧＰＳサーバ４００は、現在位置情報取得後、情報を住所検索サーバ３００へ送信する（Ｓ９３）。住所検索サーバ３００は、情報取得後、住所を特定し、結果を駅間検索サーバ５００へ送信する（Ｓ９４）。スケジュール監視部１２０は、スケジュール情報を取得する（Ｓ９６）。スケジュール監視部１２０は、次スケジュール情報の住所情報を住所検索サーバ３００へ送信し、住所情報を取得する（Ｓ９７）。スケジュール監視部１２０は、取得した情報を駅間検索サーバ５００へ送信して、駅間検索サーバ５００から駅間情報を取得する（Ｓ９８）。
【００３２】
移動時間計算部１３０は、移動時間を計算し、結果を制御部１１０へ送信する（Ｓ９９）。制御部１１０は、取得した情報に対して、現在時刻と事前通知時刻が合致するかの判断を行なう（Ｓ１０１）。合致した場合（ＹＥＳ）、制御部１１０は、次スケジュール情報をＰＤＡ端末２００へ送信して（Ｓ１０２）、ステップ９２に遷移する。ステップ１０１で事前通知時刻と現時刻が合致しなかった場合（ＮＯ）、制御部１１０は、事前通知時刻は現時刻よりも遅いかどうかの判断を行なう（Ｓ１０３）。
【００３３】
遅くない場合（ＮＯ）、制御部１０１は、ステップ９２に遷移する。ステップ１０３で現時刻よりも遅い場合（ＹＥＳ）、制御部１１０は、ＰＤＡ端末２００に対して担当者連絡先を送信し、また、継続して情報を表示するかの連絡を行なう（Ｓ１０４）。
【００３４】
図９を参照して、重要な会議がなく遅延が発生した場合について、説明する。現在地は戸塚とし、１１：００〜１２：００に川崎にて会議、１４：００〜１５：００に横浜にて会議があるとしており、１１：００〜１２：００での川崎会議に遅延が発生したとする。遅延のため、１４：００〜１５：００の横浜での会議に間に合わなくなってしまった場合、この本会議は重要欄にチェックが無いため、ＧＰＳを起動しない。予約時に入力してある事前通知時間に経路情報がＰＤＡ端末２００に送信される。以後、順次１時間前、４５分前、３０分前、１５分前、５分前、１分前といった時刻に情報が送信される。つまり、遅延等に関しての情報は何も送信されない。
【００３５】
図１０を参照して、図７と同じ条件で、交通機関の遅延等が発生し、重要欄チェックありのスケジュールに間に合わない場合について、説明する。図１０において、図７と条件は同じため、重要欄チェックありのスケジュール前より、ＧＰＳを起動し、順次、情報をＰＤＡ端末２００に連絡する。しかし、川崎から横浜へ移動中の電車で遅延が発生し、スケジュールに間に合わない場合、スケジュール管理サーバ１００は、ＰＤＡ端末２００へ、予約時に受け付けた担当者連絡先情報を送信する。これによってスケジュール開始事前に連絡を行なう事ができる。
【００３６】
また、担当者連絡先情報を送信後、スケジュール管理サーバ１００は、連続してこの後も続けて、次スケジュールに関しての情報を連絡するかをＰＤＡ端末２００に確認する。ＰＤＡ端末２００から、「継続して連絡」を受信したとき、スケジュール管理サーバ１００は、継続を連絡する。ＰＤＡ端末２００から、「連絡を中止」を受信したとき、スケジュール管理サーバ１００は、次スケジュール情報の送信を停止する。このとき、次スケジュールに関しての変更もおこなう事ができる。
【００３７】
図１１を参照して、上述した処理を説明する。図１１は、図８のステップ１０４に引き続いている。図１１において、制御部１１０は、ＰＤＡ端末２００に担当者欄記入の連絡先を送信する。また、継続して情報を表示するかの連絡を行なう（Ｓ１１１）。制御部１１０は、継続して情報を送信するか判定する（Ｓ１１２）。連絡を継続しない場合（ＮＯ）、制御部１１０は、スケジュールデータベース１４０の該当スケジュール情報を破棄して（Ｓ１２３）、終了する。
【００３８】
ステップ１１２で継続して情報を表示する場合（ＹＥＳ）、制御部１１０は、何分毎に情報を表示するかをＰＤＡ端末２００から受信する（Ｓ１１３）。制御部１１０は、指定された分毎に情報を送る事をＧＰＳサーバ４００へ連絡する（Ｓ１１４）。ＧＰＳサーバ４００は、指定された分毎にＰＤＡ端末２００から現在位置情報を取得する（Ｓ１１６）。ＧＰＳサーバ４００は、現在位置情報を住所検索サーバ３００へ送信する（Ｓ１１７）。住所検索サーバ３００は、住所情報を取得し、結果を駅間検索サーバ５００へ送信する（Ｓ１１８）。駅間検索サーバ５００は、駅間情報を取得し、結果を移動時間計算部１３０へ送信する（Ｓ１１９）。移動時間計算部１３０は、結果算出後、結果を制御部へ送信する（Ｓ１２１）。制御部１１０は、情報をＰＤＡ端末２００へ送信して（Ｓ１２２）、ステップ１１３に遷移する。
【００３９】
図１２を参照して、重要欄チェックありスケジュールの前の会議による遅延が発生した等連絡をとる事ができない状況の処理について説明する。図１２は、川崎での会議時間が延長し、重要欄チェックがある横浜でのスケジュールに間に合わなくなり、また会議延長のため、連絡不可能である場合を示している。
【００４０】
まず、重要欄チェックありのスケジュール前より、ＧＰＳを起動し、順次、情報を端末に連絡する。しかし、川崎での会議延長により遅延が発生し、スケジュールに間に合わない場合でも、まずスケジュール管理サーバ１００は、ＰＤＡ端末２００へ、予約時に入力しておいた担当者連絡先情報を連絡する。その後、一定時間連絡した情報について、更新（端末所持者が何らかの行動）を行なわなかった場合、スケジュール管理サーバ１００は、事前に予約時に入力しておいた同伴者欄の担当者（図１２ではＡさん）へ、スケジュール被管理者に遅延が生じている事を連絡する。また、同伴者欄に記入無しまたはこのスケジュールが単独での行動であった場合は、同部署等の庶務・秘書担当に遅延情報が送信される。
【００４１】
図１３を参照して、上述したスケジュール管理サーバ１００の処理を説明する。図１３は、図８のステップ１０４に引き続いている。図１３において、ステップ１３１とステップ１３２は、図１１のステップ１１１、ステップ１１２と同じなので、説明を省く。ステップ１３２の後で図示しないタイマをスタートし、制御部１１０は、タイムアウトを検出する（Ｓ１３３）。制御部１１０は、スケジュール情報の同伴者を読み出す（Ｓ１３４）。制御部１１０は、同伴者がいるか判定する（Ｓ１３６）。同伴者がいるとき（ＹＥＳ）、制御部１１０は、その同伴者にスケジュール対象者の遅延を連絡して（Ｓ１３７）、終了する。ステップ１３６で同伴者がいないとき（ＮＯ）制御部１１０は、スケジュール対象者の庶務担当者または秘書に、スケジュール対象者の遅延を連絡して（Ｓ１３８）、終了する。
【００４２】
同伴者、庶務担当者または秘書への連絡は、彼らの所有するＰＤＡ端末２００を利用する。しかし、携帯電話へのボイスメール、電子メールで行なってもよい。
【００４３】
上述した実施例に拠れば、利用者は、新たなスケジュール登録の際に、実行不可能なスケジュールを事前に発見でき、実行不可能なスケジュール登録を未然に防止する事が可能になる。また、当日も、事前に次の目的地への移動手段、スケジュールに間に合う出発時刻を事前に表示してくれるので、出張での土地勘の少ない場所でも、迷う事なく到着する事ができる。
【符号の説明】
【００４４】
１００…スケジュール管理サーバ、１１０…制御部、１２０…スケジュール管理部、１３０…移動時間計算部、１４０…スケジュールデータベース、２００…ＰＤＡ端末、３００…住所検索サーバ、４００…ＧＰＳサーバ、５００…駅間検索サーバ、６００…ＷＡＮ、７００…ＬＡＮ、１０００…スケジュール管理システム。
【図１】
2012048544.tif 000003
【図２】
2012048544.tif 000004
【図３】
2012048544.tif 000005
【図４】
2012048544.tif 000006
【図５】
2012048544.tif 000007
【図６】
2012048544.tif 000008
【図７】
2012048544.tif 000009
【図８】
2012048544.tif 000010
【図９】
2012048544.tif 000011
【図１０】
2012048544.tif 000012
【図１１】
2012048544.tif 000013
【図１２】
2012048544.tif 000014
【図１３】
2012048544.tif 000015